(57)【要約】      （修正有）【課題】安定した特性インピーダンスと高周波信号に適した伝送が可能なフレキシブルフラットケーブル構造を提供する。【解決手段】フレキシブルフラットケーブル構造は、導体層１２と、第１の複合材料層１４と、第１の絶縁ゴム層１６と、第２の絶縁ゴム層１８及び補強板２０を備える。導体層、第１の複合材料層、第１の絶縁ゴム層及び第２の絶縁ゴム層を結合した後に複数のストリップに切断し、各ストリップは複数のリード線を提供し、複数のリード線の第１の末端１２６２と第２の末端１２６４は第２の絶縁ゴム層に露出する。【選択図】図１
0003229385.tif 000002
【実用新案登録請求の範囲】
【請求項１】
第１の面及び第２の面を有する導体層と、
前記導体層の前記第１の面に形成され、電磁信号を遮蔽する第１の複合材料層と、
前記導体層と前記第１の複合材料層との間に形成される第１の絶縁ゴム層と、
前記導体層の非第１の絶縁ゴム層の側に形成される第２の絶縁ゴム層と、
前記第１の絶縁ゴム層と前記第１の複合材料層との間に設けられ、且つ、一部が前記第１の複合材料層に露出する補強板と、
を備え、
前記導体層、前記第１の複合材料層、前記第１の絶縁ゴム層及び前記第２の絶縁ゴム層を結合した後に複数のストリップに切断し、各ストリップは複数のリード線を提供し、前記複数のリード線の第１の末端と第２の末端は同時に前記第１の絶縁ゴム層又は前記第２の絶縁ゴム層に露出し、或いは、前記複数のリード線の第１の末端及び第２の末端がそれぞれ、前記第１の絶縁ゴム層及び前記第２の絶縁ゴム層に露出することを特徴とするフレキシブルフラットケーブル構造。
【請求項２】
前記導体層の前記第２の面に形成され、前記電磁信号を遮蔽する第２の複合材料層と、を更に備えることを特徴とする請求項１に記載のフレキシブルフラットケーブル構造。
【請求項３】
前記第２の複合材料層には接地開口が形成され、
前記接地開口がそれぞれ前記第２の複合材料層の両側に形成されることを特徴とする請求項２に記載のフレキシブルフラットケーブル構造。
【請求項４】
前記接地開口に設けられたアルミ箔片を更に備えることを特徴とする請求項３に記載のフレキシブルフラットケーブル構造。
【請求項５】
第１の接続ヘッドと、第２の接続ヘッドと、を更に備え、
前記第１の接続ヘッドは、複数のリード線の第１の末端及び第２の末端と接続し、
前記第１の接続ヘッドの接地端と前記第２の接続ヘッドの接地端がそれぞれ、前記接地開口と結合することを特徴とする請求項３又は４に記載のフレキシブルフラットケーブル構造。
【請求項６】
前記導体層は、本体及び結合部を含み、
前記本体は前記結合部と接続し、
前記本体と前記結合部との間の部分は斜面を呈することを特徴とする請求項１に記載のフレキシブルフラットケーブル構造。
【請求項７】
前記結合部にある複数のリード線の断面形状は、前記本体にある複数のリード線の断面形状と同じであり、又は異なり、
前記本体にある前記複数のリード線の断面形状は、方形、三角形、矩形及び多角形であることを特徴とする請求項６に記載のフレキシブルフラットケーブル構造。
【請求項８】
前記本体にある前記複数のリード線の断面形状は円形であることを特徴とする請求項７に記載のフレキシブルフラットケーブル構造。
【請求項９】
前記結合部にある複数のリード線の断面形状はシート状であることを特徴とする請求項６に記載のフレキシブルフラットケーブル構造。
【請求項１０】
前記複数のリード線の間には隙間があることを特徴とする請求項８に記載のフレキシブルフラットケーブル構造。
【考案の詳細な説明】
【技術分野】
【０００１】
本考案は、フラットケーブルの技術分野に関わり、特にストリップ（ｓｔｒｉｐ）式フレキシブルフラットケーブル構造に関するものである。
【背景技術】
【０００２】
従来、フレキシブルフラットケーブル（Ｆｌｅｘｉｂｌｅ  Ｆｌａｔ  Ｃａｂｌｅ，ＦＦＣ）は、ＰＥＴ絶縁材の錫メッキフラット銅線を自動化設備の生産ラインで圧着して形成されたデータケーブルであり、その自体は、自由に撓むことができる利点や高周波信号伝送機能などの利点を有するので、信号伝送を提供するために使用される。
【０００３】
フレキシブルフラットケーブルは自由に曲げることができる特性を持っており、異なるニーズに応じて異なる厚さの絶縁層を製造できる。
【考案の概要】
【考案が解決しようとする課題】
【０００４】
本考案は、安定した特性インピーダンスと、高周波信号に適した伝送とを提供するフレキシブルフラットケーブル構造を提供する。
【課題を解決するための手段】
【０００５】
本考案の第一の目的は、フレキシブルフラットケーブル構造を提供し、前記フレキシブルフラットケーブル構造は複数のストリップを提供し、各ストリップに単一又は複数のリード線を内蔵して、耐屈曲とフレキシブル性を高める。
【０００６】
本考案の第二の目的は、前記フレキシブルフラットケーブル構造により、導体層、絶縁ゴム層、複合材料層の多層構造を提供する。
【０００７】
本考案の第三の目的は、前記フレキシブルフラットケーブル構造により、安定した特性インピーダンスと、高周波信号に適した伝送とを提供するために、複合材料層の厚さを調整する。
【０００８】
本考案の第四の目的は、前記フレキシブルフラットケーブル構造により、電磁信号を遮蔽する干渉を低減するために、導体層の側面に一層又は二層の複合材料層を設置する。
【０００９】
本考案の第五の目的は、前記フレキシブルフラットケーブル構造により、第１の接続ヘッドと第２の接続ヘッドが回路基板のオスプラグ又はメスソケットに接続されて、電子信号の伝送を行う。
【００１０】
本考案の第六の目的は、前記フレキシブルフラットケーブル構造により、第１の接続ヘッドと第２の接続ヘッドとを結合して第１の接続ヘッドと第２の接続ヘッドとの電気的な接続の安定性を高めるための補強板を提供する。
【００１１】
本考案の第七の目的は、前記フレキシブルフラットケーブル構造により、第１の接続ヘッドと第２の接続ヘッドの接地端を接続するために、複合材料層に接地開口を形成する。
【００１２】
本考案の第八の目的は、前記フレキシブルフラットケーブル構造により、導体層は本体及び結合部を有し、本体と結合部との間の部分はテーパ状の斜面を呈している。
【００１３】
本考案の第九の目的は、前記フレキシブルフラットケーブル構造により、結合部のこれらのリード線の断面形状は、本体にあるこれらのリード線の断面形状と同じであり、又は異なる。
【００１４】
本考案の第十の目的は、前記フレキシブルフラットケーブル構造により、リード線の第１の末端と第２の末端は、異なる回路設計に適応するために、同時に同じ側の絶縁ゴム層又は異なる側の絶縁ゴム層に露出してもよい。
【００１５】
以上の目的及び他の目的を達成するために、本考案は、導体層と、第１の複合材料層と、第１の絶縁ゴム層と、第２の絶縁ゴム層及び補強板を備えるフレキシブルフラットケーブル構造を提供する。導体層は第１の面及び第２の面を有する。第１の複合材料層が導体層の前記第１の面に形成される。なお、第１の複合材料層は電磁信号を遮蔽する。第１の絶縁ゴム層が導体層と第１の複合材料層との間に形成される。第２の絶縁ゴム層が前記導体層の非第１の絶縁ゴム層の側に形成される。補強板が第１の絶縁ゴム層と第１の複合材料層との間に設けられ、且つ、補強板の一部が第１の複合材料層に露出する。また、導体層、第１の複合材料層、第１の絶縁ゴム層及び第２の絶縁ゴム層を結合した後に複数のストリップに切断し、各ストリップは複数のリード線を提供し、これらのリード線の第１の末端と第２の末端は同時に前記第１の絶縁ゴム層又は前記第２の絶縁ゴム層に露出し、これらのリード線は、第１の末端が前記第１の絶縁ゴム層に露出し、第２の末端が前記第２の絶縁ゴム層に露出し、又は、これらのリード線は、第１の末端が前記第２の絶縁ゴム層に露出し、第２の末端が前記第１の絶縁ゴム層に露出する。
【００１６】
従来の技術と比較して、本考案のフレキシブルフラットケーブル構造は、電気信号／電源の伝送を行うための多層構造であり、且つ、複数のストリップに切断し、各ストリップは複数のリード線を提供し、更に、導体層の少なくとも一面に複合材料層が提供されて、電磁信号を遮蔽する。
【図面の簡単な説明】
【００１７】
【図１】図１は本考案の第１の実施例にかかるフレキシブルフラットケーブル構造の断面を示す図である。
【図２】図２は本考案の図３にかかるフレキシブルフラットケーブル構造を説明するために示す上面図である。
【図３】図３は本考案の第２の実施例にかかるフレキシブルフラットケーブル構造の断面を示す図である。
【図４】図４は本考案の図３にかかるフレキシブルフラットケーブル構造を説明するために示す上面図である。
【考案を実施するための形態】
【００１８】
本考案の目的、特徴及び効果を十分に理解するために、後述の実施例及び図面に基づいて、本考案を説明する。
【００１９】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００２０】
本考案において、「含む」、「備える」、「有する」の用語又は他の類似用語は、非排他的なものをカバーすることを意図している。例えば、複数の要素を含むデバイス、構造、製品又は装置は、本明細書に記載された要件だけに限定されるものではなく、明確に記載されていないが、他の固有のデバイス、構造、製品、または装置を含むことができる。これ以外に、反対となる明確な説明がない限り、用語「または」は包括的な「または」を意味し、排他的な「または」を意味するものではない。
【００２１】
図１を参照し、図１は本考案の第１の実施例にかかるフレキシブルフラットケーブル構造の断面を示す図である。図１において、フレキシブルフラットケーブル構造１０は、導体層１２と、第１の複合材料層１４と、第１の絶縁ゴム層１６と、第２の絶縁ゴム層１８及び補強板２０を備える。
【００２２】
導体層１２は第１の面１２２及び第２の面１２４を有する。ここで、第１の面１２２は下方を指し、第２の面１２４は上方を指す。導体層１２は複数のリード線１２６からなり、図２の上面図を併せて参照してもよい。これらのリード線１２６の間には隙間ｄがある。ここでのリード線１２６の数は五つを例に説明するが、他の実施例では、数を実際のニーズに応じて調整できる。
【００２３】
導体層１２は本体１２８及び結合部１２１０を更に有する。拡大図を併せて参照し、本体１２８は結合部１２１０と接続する。後述の接続ヘッドに適用するために、本体１２８と結合部１２１０との間の部分は斜面を呈している。なお、結合部１２１０のリード線１２６の断面形状は、本体１２８にあるリード線１２６の断面形状と同じであり、又は異なる。ここでの本体１２８にあるリード線１２６の断面形状は円形であり、結合部１２１０にあるリード線１２６の断面形状はシート状である。他の実施例において、本体１２８にあるリード線１２６の断面形状は、方形、三角形、矩形、多角形などであってもよい。
【００２４】
図１に戻り、第１の複合材料層１４が導体層１２の第１の面１２２に形成され、例えば、第１の複合材料層１４の材料は、金属材料、セラミック材料又は高分子材料などの二種類以上の材料が複合プロセスによって製造された基材である。第１の複合材料層１４は金属材料を含むので、電磁信号に抵抗できる。第１の複合材料層１４は導体層１２に積層され、且つ、第１の複合材料層１４の長さは導体層１２の長さより短い。
【００２５】
第１の絶縁ゴム層１６は導体層１２と第１の複合材料層１４との間に形成されて、導体層１２と第１の複合材料層１４を結合する。例えば、結合の方式は接着、結合、貼り合わせなどである。第１の絶縁ゴム層１６の材質は、第１の複合材料層１４と導体層１２を結合することに加えて、これらのリード線１２６の間の電気信号が互いに接触して誤動作を引き起こすのを防ぐこともできる。
【００２６】
第２の絶縁ゴム層１８は導体層１２の非第１の絶縁ゴム層１６の側に形成されて、これらのリード線１２６の間の電気信号が互いに接触して誤動作を引き起こすのを防ぐ。
【００２７】
補強板２０が第１の絶縁ゴム層１６と第１の複合材料層１４との間に設けられ、且つ、補強板２０の一部が第１の複合材料層１４に露出する。補強板２０は導体層１２の末端の厚さを増加でき、補強板２０が電気接続ヘッドと接続してリード線１２６を電気接続ヘッドにロックできる。
【００２８】
図２に示すように、第１の複合材料層１４、第１の絶縁ゴム層１６及び第２の絶縁ゴム層１８を結合した後に複数のストリップに切断し、各ストリップは１つの又は複数のリード線１２６を提供する。これらのリード線１２６の第１の末端１２６２及び第２の末端１２６４が第２の絶縁ゴム層１８に露出する。本実施例において、これらのリード線１２６が同じ側にあり、即ち、同時に第２の絶縁ゴム層１８に露出することに加えて、別の実施例において、これらのリード線１２６の第１の末端１２６２及び第２の末端１２６４がそれぞれ、第１の絶縁ゴム層１６及び第２の絶縁ゴム層１８に露出してもよい。例えば、これらのリード線１２６の第１の末端１２６２が第１の絶縁ゴム層１６に露出し、第２の末端１２６４が第２の絶縁ゴム層１８に露出する。
【００２９】
図３を参照し、図３は本考案の第２の実施例にかかるフレキシブルフラットケーブル構造の断面を示す図である。図３において、フレキシブルフラットケーブル構造１０’は、第１の実施例にかかる導体層１２と、第１の複合材料層１４と、第１の絶縁ゴム層１６と、第２の絶縁ゴム層１８及び補強板２０を備えることに加えて、第１の接続ヘッド２２と、第２の接続ヘッド２４及び第２の複合材料層２６を更に備える。
【００３０】
図４を併せて参照し、図４は本考案の図３にかかるフレキシブルフラットケーブル構造を説明するために示す上面図である。第１の接続ヘッド２２はオスプラグ又はメスソケットであり、ここでは、第１の接続ヘッド２２はオスプラグを例に説明する。第１の接続ヘッド２２は、これらのリード線１２６の第１の末端１２６２を接続するための複数の端子を提供する。また、第１の接続ヘッド２２は、回路基板の接地端を接続するための接地端子を提供する。別の実施例において、第１の接続ヘッド２２は直接、これらのリード線１２６の第１の末端１２６２を提供してもよい。
【００３１】
第２の接続ヘッド２４はオスプラグ又はメスソケットであってもよい、ここでは、第２の接続ヘッド２４はオスプラグを例に説明する。第２の接続ヘッド２４は、これらのリード線１２６の第２の末端１２６４を接続するための複数の端子を提供する。また、第２の接続ヘッド２４は、回路基板の接地端を接続するための接地端子を提供する。別の実施例において、第２の接続ヘッド２４は直接、これらのリード線１２６の第２の末端１２６４を提供してもよい。
【００３２】
第２の複合材料層２６は導体層１２の第２の面に形成される。なお、第２の複合材料層２６は電磁信号を遮蔽するできる。別の実施例において、第２の複合材料層２６には接地開口２６２が更に形成され、当該接地開口２６２がそれぞれ第２の複合材料層２６の両側に形成される。前記接地開口２６２は、第１の接続ヘッド２２の接地端子及び第２の接続ヘッド２４の接地端子を結合できる。別の実施例において、接地開口２６２に設けられたアルミ箔片２６４を更に含み、当該接地開口２６２は、第１の接続ヘッド２２の接地端子及び第２の接続ヘッド２４の接地端子を接続する。
【００３３】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００３４】
１０、１０’… フレキシブルフラットケーブル構造
１２…導体層
１２２…第１の面
１２４…第２の面
１２６…リード線
１２６２…第１の末端
１２６４…第２の末端
１２８…本体
１２１０…結合部
１４…第１の複合材料層
１６…第１の絶縁ゴム層
１８…第２の絶縁ゴム層
２０…補強板
２２…第１の接続ヘッド
２４…第２の接続ヘッド
２６…第２の複合材料層
２６４…アルミ箔片
ｄ…隙間
【図１】
0003229385.tif 000003
【図２】
0003229385.tif 000004
【図３】
0003229385.tif 000005
【図４】
0003229385.tif 000006
【手続補正書】
【提出日】令和2年9月15日(2020.9.15)
【手続補正１】
【補正対象書類名】実用新案登録請求の範囲
【補正対象項目名】全文
【補正方法】変更
【補正の内容】
【実用新案登録請求の範囲】
【請求項１】
第１の面及び第２の面を有する導体層と、
前記導体層の前記第１の面に形成され、電磁信号を遮蔽する第１の複合材料層と、
前記導体層と前記第１の複合材料層との間に形成される第１の絶縁ゴム層と、
前記導体層の非第１の絶縁ゴム層の側に形成される第２の絶縁ゴム層と、
前記第１の絶縁ゴム層と前記第１の複合材料層との間に設けられ、且つ、一部が前記第１の複合材料層に露出する補強板と、
を備え、
前記導体層、前記第１の複合材料層、前記第１の絶縁ゴム層及び前記第２の絶縁ゴム層を結合した後に複数のストリップに切断し、各ストリップは複数のリード線を提供し、前記複数のリード線の第１の末端と第２の末端は同時に前記第１の絶縁ゴム層又は前記第２の絶縁ゴム層に露出し、或いは、前記複数のリード線の第１の末端及び第２の末端がそれぞれ、前記第１の絶縁ゴム層及び前記第２の絶縁ゴム層に露出することを特徴とするフレキシブルフラットケーブル構造。
【請求項２】
前記導体層の前記第２の面に形成され、前記電磁信号を遮蔽する第２の複合材料層と、を更に備えることを特徴とする請求項１に記載のフレキシブルフラットケーブル構造。
【請求項３】
前記第２の複合材料層には接地開口が形成され、
前記接地開口がそれぞれ前記第２の複合材料層の両側に形成されることを特徴とする請求項２に記載のフレキシブルフラットケーブル構造。
【請求項４】
前記接地開口に設けられたアルミ箔片を更に備えることを特徴とする請求項３に記載のフレキシブルフラットケーブル構造。
【請求項５】
第１の接続ヘッドと、第２の接続ヘッドと、を更に備え、
前記第１の接続ヘッドは、複数のリード線の第１の末端及び第２の末端と接続し、
前記第１の接続ヘッドの接地端と前記第２の接続ヘッドの接地端がそれぞれ、前記接地開口と結合することを特徴とする請求項３又は４に記載のフレキシブルフラットケーブル構造。
【請求項６】
前記導体層は、本体及び結合部を含み、
前記本体は前記結合部と接続し、
前記本体と前記結合部との間の部分は斜面を呈することを特徴とする請求項１に記載のフレキシブルフラットケーブル構造。
【請求項７】
前記結合部にある複数のリード線の断面形状は、前記本体にある複数のリード線の断面形状と同じであり、又は異なり、
前記本体にある前記複数のリード線の断面形状は、方形、三角形、矩形又は多角形であることを特徴とする請求項６に記載のフレキシブルフラットケーブル構造。
【請求項８】
前記結合部にある複数のリード線の断面形状は、前記本体にある複数のリード線の断面形状と同じであり、又は異なり、
前記本体にある前記複数のリード線の断面形状は円形であることを特徴とする請求項６に記載のフレキシブルフラットケーブル構造。
【請求項９】
前記結合部にある複数のリード線の断面形状はシート状であることを特徴とする請求項６に記載のフレキシブルフラットケーブル構造。
【請求項１０】
前記複数のリード線の間には隙間があることを特徴とする請求項８に記載のフレキシブルフラットケーブル構造。